【手続補正書】
【提出日】平成17年11月1日(2005.11.1)
【手続補正１】
【補正対象書類名】明細書
【補正対象項目名】特許請求の範囲
【補正方法】変更
【補正の内容】
【特許請求の範囲】
【請求項１】  電力線を伝送路として用い、送信装置と受信装置との間におけるシンボルの通信を行う電力線搬送通信システムであって、
前記送信装置は、
送信するシンボルに対し、長さがｍシンボル（ｍは、２以上の整数）である１番シンボル〜ｍ番シンボルのシンボル列を１単位として、当該シンボル列をｎ種類（ｎは、２以上の整数）の並べ替え手法を用いて当該１番シンボル〜ｍ番シンボルの順番をそれぞれ並べ替えたｎ列のシンボル列を生成するインタリーブ手段と、
前記インタリーブ手段が生成した前記ｎ列のシンボル列を、それぞれ対応する予め定めたキャリアを用いて振幅変調および／または位相変調し、変調信号として出力する変調手段と、
前記変調信号を予め定めた振幅に増幅し、前記伝送路へ出力する送信アンプ手段とを備え、
前記受信装置は、
前記伝送路を介して受信する変調信号を予め定めた振幅に増幅して出力する受信アンプ手段と、
前記受信アンプ手段が出力する変調信号に対して、それぞれ対応する予め定めた基準キャリアを用いて振幅復調および／または位相復調を行い、ｎ列の振幅／位相情報列を生成する復調手段と、
前記復調手段が生成した前記ｎ列の振幅／位相情報列を、それぞれ対応する前記並べ替え手法の逆変換を行って、前記インタリーブ手段入力時における順番に並びを戻し、並べ戻したｎ列の振幅／位相情報列として出力するデ・インタリーブ手段と、
前記デ・インタリーブ手段が出力する前記並べ戻したｎ列の振幅／位相情報列の各情報に基づいて、前記１番シンボル〜ｍ番シンボルの値をそれぞれ判定し出力する判定手段とを備える、電力線搬送通信システム。
【請求項２】  前記判定手段は、前記並べ戻したｎ列の振幅／位相情報列それぞれの第ｋ番目（ｋは、ｍ以下の整数）に位置する振幅情報および／または位相情報の平均値を算出し、当該平均値に基づいてｋ番シンボルの値の判定を行うことを特徴とする、請求項１に記載の電力線搬送通信システム。
【請求項３】  前記判定手段は、前記並べ戻したｎ列の振幅／位相情報列それぞれの第ｋ番目に位置する振幅情報および／または位相情報の平均値を算出するにあたり、信頼性のある振幅情報および／または位相情報のみを当該平均値の算出に用いることを特徴とする、請求項２に記載の電力線搬送通信システム。
【請求項４】  前記判定手段は、信頼性の有無を、振幅情報および／または位相情報の値が予め定めた範囲内に存在するか否かによって判定することを特徴とする、請求項３に記載の電力線搬送通信システム。
【請求項５】  前記判定手段は、振幅に関する信頼性の有無を、
同一のキャリアで送信された振幅／位相情報列の振幅の平均値を計算し、
前記振幅の平均値に対する相対振幅情報を計算して相対振幅情報列とし、
前記相対振幅情報の値が予め定めた範囲内に存在するか否かによって判定することを特徴とする、請求項４に記載の電力線搬送通信システム。
【請求項６】  前記判定手段は、振幅に関する信頼性の有無を、
同一のキャリアで送信された振幅／位相情報列の振幅の平均値と分散値とを計算し、
前記振幅の平均値に対する相対振幅情報を計算して相対振幅情報列とし、
前記相対振幅情報の値が前記分散値に所定の定数を乗じた値よりも絶対値が小さいか否かによって判定することを特徴とする、請求項４に記載の電力線搬送通信システム。
【請求項７】  前記判定手段は、振幅に関する信頼性の有無を、
同一のキャリアで送信された振幅／位相情報列の振幅値が、１つ前のシンボルの振幅値との差が予め定めた値以内であるか否かによって判定することを特徴とする、請求項４に記載の電力線搬送通信システム。
【請求項８】  前記インタリーブ手段における前記１番シンボル〜ｍ番シンボルのシンボル列は、電源の１／２サイクル時間以下の時間長であることを特徴とする、請求項１〜７のいずれかに記載の電力線搬送通信システム。
【請求項９】  前記送信装置は、前記インタリーブ手段が出力する前記ｎ列のシンボル列を、それぞれ差動シンボル化して前記変調手段へ出力する差動シンボル化手段をさらに備え、
前記復調手段は、１シンボル前の信号に対する振幅／位相情報を出力する遅延検波方式を用いて復調を行うことを特徴とする、請求項１〜８のいずれかに記載の電力線搬送通信システム。
【請求項１０】  前記変調手段は、ＯＦＤＭ方式に基づいて変調を行い、
前記復調手段は、ＯＦＤＭ方式に基づいて復調を行うことを特徴とする、請求項１〜９のいずれかに記載電力線搬送通信システム。
【請求項１１】  前記変調手段は、各々のシンボルが、周波数軸上における時間位置に連続性がなく分散して並ぶように、前記ｎ列のシンボル列をそれぞれ予め定めたキャリアで変調することを特徴とする、請求項１〜１０のいずれかに記載の電力線搬送通信システム。
【請求項１２】  前記インタリーブ手段に入力される前記送信するシンボルが２値であることを特徴とする、請求項１〜１１のいずれかに記載の電力線搬送通信システム。
【請求項１３】  電力線を伝送路として用い、送信装置と受信装置との間におけるシンボルの通信を行う電力線搬送通信システムに用いる送信装置であって、
送信するシンボルに対し、長さがｍシンボル（ｍは、２以上の整数）である１番シンボル〜ｍ番シンボルのシンボル列を１単位として、当該シンボル列をｎ種類（ｎは、２以上の整数）の並べ替え手法を用いて当該１番シンボル〜ｍ番シンボルの順番をそれぞれ並べ替えたｎ列のシンボル列を生成するインタリーブ手段と、
前記インタリーブ手段が生成した前記ｎ列のシンボル列を、それぞれ対応する予め定めたキャリアを用いて振幅変調および／または位相変調し、変調信号として出力する変調手段と、
前記変調信号を予め定めた振幅に増幅し、前記伝送路へ出力する送信アンプ手段とを備えることを特徴とする、送信装置。
【請求項１４】  前記変調手段は、各々のシンボルが、周波数軸上における時間位置に連続性がなく分散して並ぶように、前記ｎ列のシンボル列をそれぞれ予め定めたキャリアで変調することを特徴とする、請求項１３に記載の送信装置。
【請求項１５】  シンボル列およびキャリア周波数を、それぞれの並び替えシンボルの単位が１つまたは複数づつシフトするように並べることを特徴とする、請求項１４に記載の送信装置。
【請求項１６】  シンボル列およびキャリア周波数を、近接時間でかつ近接周波数に同一シンボルの情報が入らないように並べることを特徴とする、請求項１４に記載の送信装置。
【請求項１７】  電力線を伝送路として用い、送信装置と受信装置との間におけるシンボルの通信を行う電力線搬送通信システムに用いる受信装置であって、
前記伝送路を介して受信する変調信号を予め定めた振幅に増幅して出力する受信アンプ手段と、
前記受信アンプ手段が出力する変調信号に対して、それぞれ対応する予め定めた基準キャリアを用いて振幅復調および／または位相復調を行い、ｎ列の振幅／位相情報列を生成する復調手段と、
前記復調手段が生成した前記ｎ列の振幅／位相情報列を、それぞれ対応する前記並べ替え手法の逆変換を行って、前記インタリーブ手段入力時における順番に並びを戻し、並べ戻したｎ列の振幅／位相情報列として出力するデ・インタリーブ手段と、
前記デ・インタリーブ手段が出力する前記並べ戻したｎ列の振幅／位相情報列の各情報に基づいて、前記１番シンボル〜ｍ番シンボルの値をそれぞれ判定し出力する判定手段とを備えることを特徴とする、受信装置。
【請求項１８】  時間軸と周波数軸の両方に冗長性を有してシンボルの通信を行うことを特徴とする、電力線搬送通信装置。
【手続補正２】
【補正対象書類名】明細書
【補正対象項目名】００３７
【補正方法】変更
【補正の内容】
【００３７】
送信装置１０において、送信するシンボルは、インタリーブ部１１に入力される。インタリーブ部１１は、後述する予め定めた並べ替え手法を用いて、送信シンボルを時間軸上で並べ替えたシンボル列を複数生成する。変調部１２は、予め定めた変調方式を用いて、入力する複数のシンボル列をそれぞれ異なるキャリア周波数で変調する。送信アンプ１３は、変調部１２から出力される変調信号を入力し、予め定めた振幅となるように増幅処理した後、伝送路３０を介して受信装置２０側へ送信する。
受信装置２０において、伝送路３０を介して受信される受信信号は、受信アンプ２１に入力される。受信アンプ２１は、入力する受信信号を予め定めた振幅となるように増幅処理して、復調部２２へ出力する。復調部２２は、予め定めた復調方式を用いて（送信装置１０における変調部１２で施した変調方式に対応する復調方式である）複数のキャリアの振幅／位相情報をそれぞれ取り出し、複数の振幅／位相情報列としてデ・インタリーブ部２３へ出力する。デ・インタリーブ部２３は、復調部２２から入力する複数の振幅／位相情報列を、送信装置１０のインタリーブ部１１で行われた変換の逆変換により、元の順序にそれぞれ並べ戻す。そして、デ・インタリーブ部２３は、逆変換により元の並びに戻された振幅／位相情報列を判定部２４へ出力する。判定部２４では、各振幅／位相情報列における同一タイミングの振幅／位相情報値からシンボル値を判定し、受信シンボル列として出力する。
【手続補正３】
【補正対象書類名】明細書
【補正対象項目名】００４４
【補正方法】変更
【補正の内容】
【００４４】
次に、受信装置２０を説明する。
伝送路３０を介して受信される受信信号は、受信アンプ２１に入力される。受信アンプ２１は、入力する受信信号を予め定めた振幅となるように増幅処理して、復調部２２へ出力する。
復調部２２は、送信装置１０における変調部１２で施した変調方式に対応する復調方式、すなわちこの例では、８ＱＡＭ復調を行って、入力する受信信号から１６種類のキャリアの振幅／位相情報をそれぞれ取り出し、１６の振幅／位相情報列としてデ・インタリーブ部２３へ出力する。
デ・インタリーブ部２３は、復調部２２から入力する１６の振幅／位相情報列を、送信装置１０のインタリーブ部１１で行われた変換（並べ替え）の逆変換により、元の時間順序にそれぞれ並べ戻す。そして、デ・インタリーブ部２３は、逆変換により元の並びに戻された１６の振幅／位相情報列を判定部２４へ出力する。
【手続補正４】
【補正対象書類名】明細書
【補正対象項目名】００６１
【補正方法】変更
【補正の内容】
【００６１】
送信装置１０において、インタリーブ部１１は、上述した並べ替え手法を用いて、送信シンボルを時間軸上で並べ替えたシンボル列を複数生成する。そして、インタリーブ部１１は、生成した複数のシンボル列を差動シンボル化部１４へ出力する。差動シンボル化部１４は、入力する複数のシンボル列の各シンボルの情報を、１つ前のシンボルとの位相差（相対位相）に対応させる変換を行い、変調部１２へ出力する。
受信装置２０において、復調部２２は、送信装置１０における変調部１２で施した変調に対応する復調を行って、入力する受信信号から複数のキャリアの振幅／位相情報を取り出すにあたり、それぞれのキャリアが１つ前のシンボルに対してどう変化したかの差としての振幅／位相情報列を出力する。つまり、復調部２２は、入力する受信信号に対して、遅延検波を行うのである。